(57)【要約】  非接触型ＩＣカード機能を搭載した携帯電話を改良するものであり、スキミングされ難く、情報が盗み取られることが無い携帯端末装置を提供する。  携帯電話（携帯端末装置）１は、非接触型ＩＣカード機能を備えている。また携帯電話１には、裏面側にスキミング防止装置２が取り付けられている。スキミング防止装置２は、袋状部材１０と金属板（障壁部材）１１によって構成されている。携帯電話１を携行する際には、スキミング防止装置２の金属板１１を袋状部材１０から露出させ、アンテナ３１を覆う。またカード機能を発揮させる際には金属板１１を袋状部材１０の中に引き込む。【特許請求の範囲】
【請求項１】
非接触型ＩＣカード機能を備えた携帯端末装置において、非接触型ＩＣカード機能を発揮させるカード機能発揮部に対して近接離反方向に移動する障壁部材を備えたことを特徴とする携帯端末装置。
【請求項２】
非接触型ＩＣカード機能を備えた携帯端末装置において、非接触型ＩＣカード機能を発揮させるアンテナ部に対して近接離反方向に移動する障壁部材を備えたことを特徴とする携帯端末装置。
【請求項３】
障壁部材は、電磁波又は磁力線を減衰させるものであることを特徴とする請求項１又は２に記載の携帯端末装置。
【請求項４】
障壁部材は、金属層を有する板体であることを特徴とする請求項１乃至３のいずれかに記載の携帯端末装置。
【請求項５】
障壁部材は、金属層と樹脂層を有する板体であることを特徴とする請求項１乃至４のいずれかに記載の携帯端末装置。
【請求項６】
電池を装着する電池装着部と、電池装着部を覆う蓋体を備え、障壁部材は、前記蓋体に取り付けられていることを特徴とする請求項１乃至５のいずれかに記載の携帯端末装置。
【請求項７】
障壁部材は、携帯端末装置の筐体の表面に沿ってスライドすることを特徴とする請求項１乃至６のいずれかに記載の携帯端末装置。
【請求項８】
障壁部材は、袋部に挿入され、障壁部材の一部が袋部から出入りすることを特徴とする請求項１乃至７のいずれかに記載の携帯端末装置。
【請求項９】
障壁部材には摘まみ部が設けられていることを特徴とする請求項１乃至８のいずれかに記載の携帯端末装置。
【請求項１０】
筐体内に電子部品が内蔵され、非接触型ＩＣカード機能を備えた携帯端末装置において、非接触型ＩＣカード機能を発揮させるカード機能発揮部に面した筐体面に取り外し可能な障壁部材を備えたことを特徴とする携帯端末装置。
【請求項１１】
障壁部材は、電磁波又は磁力線を減衰させるものであることを特徴とする請求項１０に記載の携帯端末装置。
【請求項１２】
障壁部材は、金属層を有する板体又はシートであり、一面に糊層を有し、当該糊層によって筐体面に貼りつけられていることを特徴とする請求項１０又は１１に記載の携帯端末装置。
【請求項１３】
非接触型ＩＣカード機能を備えた携帯端末装置に取り付けられるスキミング防止装置であって、非接触型ＩＣカード機能を発揮させるカード機能発揮部に対して近接離反方向に移動する障壁部材を備えたことを特徴とするスキミング防止装置。
【請求項１４】
非接触型ＩＣカード機能を備えた携帯端末装置に取り付けられるスキミング防止装置であって、非接触型ＩＣカード機能を発揮させるアンテナ部に対して近接離反方向に移動する障壁部材を備えたことを特徴とするスキミング防止装置。
【請求項１５】
非接触型ＩＣカード機能を備えた携帯端末装置に取り付けられるスキミング防止装置であって、金属層を有する板体又はシートであり、一面に糊層を有し、当該糊層によって筐体面に貼りつけ可能であることを特徴とするスキミング防止装置。
【発明の詳細な説明】
【技術分野】
【０００１】
本発明は、非接触型ＩＣカード機能を搭載した携帯電話や、携帯情報機器（ＰＤＡ）等の携帯端末装置に関するものである。また本発明は、携帯端末装置に装着するスキミング防止装置に関するものである。
【背景技術】
【０００２】
外部に設けられたカードリーダにかざすことによってデータの送受信を行う非接触型のＩＣカードが知られている。
また近年、携帯電話が著しい普及を見せている。前記したＩＣカードと携帯電話は、従来、全く別々のものであったが、より利便性を高めた装置として、ＩＣカード機能を内蔵した携帯電話装置が提案されている。
特許文献１，２，３は、ＩＣカード機能を内蔵した携帯電話装置に関する発明を開示するものである。【０００３】
【特許文献１】特開２００３−６０７４８号公報
【特許文献２】特開２００４−３８６５７号公報
【特許文献３】特開２００４−２８０１９３号公報
【発明の開示】
【発明が解決しようとする課題】
【０００４】
ところで、近年、スキミングと称される不正行為が問題となっている。スキミングは、他人のカードから口座情報や暗証番号等を読み出し、預金を引き出したり物品を購入する行為である。
本出願時において、スキミング犯の検挙数は少なく、その手口は定かではない。しかしながら、ＩＣチップが埋め込まれた非接触型カードについては、通勤途上の混雑に紛れてのスキミングが可能ではないかと言われている。即ち非接触型のカードは、樹脂カードにコイルとＩＣチップが埋め込まれており、コイルに磁界を与えることで誘導電流を起こしてＩＣチップのデータを読みだすことができる。そのため所定の機能を備えたカードリーダを近づけるだけでＩＣチップに記録された口座情報や暗証番号等を読み取ることができる。【０００５】
従って満員電車の中の様に他人と近接した状態にある場合、近接した位置に居る者がカードリーダを保持しておれば、カードの口座番号等を盗み取られる可能性がある。また近年、カードリーダの性能が向上し、カードと同等サイズのカードリーダも市販されている。この様な現状から、スキミングに対する不安が高く、スキミングを防止する対策が望まれている。
また前記した非接触型ＩＣカード機能を搭載した携帯電話についても同様の危険がある。特に携帯電話に搭載する非接触型ＩＣカードには、携帯電話の電池を電源として動作するアクティブ型が多く採用されており、通信可能な距離が長い。そのため携帯電話のＩＣチップから重要な情報が読み取られる懸念がある。【０００６】
そこで本発明は、携帯電話等の携帯端末装置を改良し、スキミングされ難く、情報が盗み取られることが無い携帯端末装置を提供することを課題とする。
【課題を解決するための手段】
【０００７】
そして上記した課題を解決するための発明は、非接触型ＩＣカード機能を備えた携帯端末装置において、非接触型ＩＣカード機能を発揮させるアンテナ部に対して近接離反方向に移動する障壁部材を備えたことを特徴とする携帯端末装置である。【０００８】
また同様の機能を発揮する発明は、非接触型ＩＣカード機能を備えた携帯端末装置において、非接触型ＩＣカード機能を発揮させるカード機能発揮部に対して近接離反方向に移動する障壁部材を備えたことを特徴とする携帯端末装置である。【０００９】
カード機能発揮部は、ＩＣチップやアンテナである。
本発明の携帯端末装置では、アンテナ部等に対して近接離反方向に移動する障壁部材を備えている。そのため携行時に障壁部材をアンテナ部等に近接させておくと情報を読みだすことができなくなる。またカードによる支払いや預金の引き出しを行う場合には、障壁部材をアンテナ部から離す。その結果、アンテナ部から電磁波や磁力線の放出が可能となり、カードリーダとの通信が可能となる。【００１０】
上記した障壁部材は、例えば電磁波又は磁力線を減衰させるものである。【００１１】
即ち非接触型ＩＣカードには、電磁結合方式とマイクロ波方式によるものが知られている。ここで前者の電磁結合方式とは、交流磁界によるコイルの相互誘導を利用して交信するものである。そこで電磁結合方式を採用する携帯端末装置においては、障壁部材は、磁界を遮蔽したり減衰させるものが採用される。
また後者のマイクロ波方式を採用する携帯端末装置においては、障壁部材は、電磁波を遮蔽したり減衰させるものが採用される。【００１２】
障壁部材は、金属層を有する板体であることが望ましい。【００１３】
金属層は、電磁波や磁界を減衰させる機能を持つ。またアンテナと干渉してアンテナの効率を低下させる機能がある。そのため障壁部材として、金属層を有する板体が推奨される。なお「金属層を有する板体」とは、例えば樹脂板に金属層がコーティングされた板や、金属板そのものを含む。【００１４】
即ち障壁部材は、金属層と樹脂層を有する板体であってもよい。【００１５】
障壁部材の取り付け位置は任意であるが、携帯端末装置が電池を装着する電池装着部と、電池装着部を覆う蓋体を備えるものである場合は、障壁部材は、前記蓋体に取り付けられることが推奨される。【００１６】
本発明の携帯端末装置では、電池装着部を覆う蓋体に障壁部材が取り付けられているから、蓋体を取り外すと障壁部材も外れる。そのため電池を交換する際に障壁部材が邪魔になることはない。【００１７】
障壁部材は、携帯端末装置の筐体の表面に沿ってスライドするものであることが望ましい。【００１８】
本発明の携帯端末装置では、障壁部材が携帯端末装置の筐体の表面に沿ってスライドするから、筐体の厚さがさほど厚くならない。【００１９】
障壁部材は、袋部に挿入され、障壁部材の一部が袋部から出入りするものであることが望ましい。【００２０】
本発明の携帯端末装置では、障壁部材は、袋部に挿入され、障壁部材の一部が袋部から出入りするものであるから、見栄えがよい。【００２１】
障壁部材には摘まみ部が設けられていることが望ましい。【００２２】
本発明の携帯端末装置では、摘まみ部を操作して障壁部材を移動させることができるので、操作性がよい。【００２３】
またもう一つの携帯端末装置の発明は、筐体内に電子部品が内蔵され、非接触型ＩＣカード機能を備えた携帯端末装置において、非接触型ＩＣカード機能を発揮させるカード機能発揮部に面した筐体面に取り外し可能な障壁部材を備えたことを特徴とする携帯端末装置である。【００２４】
本発明の携帯端末装置では、アンテナ部等のカード機能発揮部に面した筐体面に取り外し可能な障壁部材が設けられている。そのため携行時に障壁部材を取り付けておくと、情報を読みだすことができなくなる。またカードによる支払いや預金の引き出しを行う場合には、障壁部材を筐体面から取り外す。その結果、アンテナ部等から電磁波や磁力線の放出が可能となり、カードリーダとの通信が可能となる。【００２５】
障壁部材は、電磁波又は磁力線を減衰させるものである。
障壁部材は、金属層を有する板体又はシートであり、一面に糊層を有し、当該糊層によって筐体面に貼りつけられていることが望ましい。【００２６】
またもう一つの発明は、非接触型ＩＣカード機能を備えた携帯端末装置に取り付けられるスキミング防止装置であって、非接触型ＩＣカード機能を発揮させるアンテナ部等のカード機能発揮部に対して近接離反方向に移動する障壁部材を備えたことを特徴とするスキミング防止装置である。【００２７】
さらにもう一つの発明は、非接触型ＩＣカード機能を備えた携帯端末装置に取り付けられるスキミング防止装置であって、金属層を有する板体又はシートであり、一面に糊層を有し、当該糊層によって筐体面に貼りつけ可能であることを特徴とするスキミング防止装置である。【００２８】
本発明のスキミング防止装置が取り付けられた携帯端末装置は、スキミングの危険性が軽減される。
【発明の効果】
【００２９】
本発明の携帯端末装置は、障壁部材によってＩＣカード機能のアンテナ部等から発せられる電磁波等を減衰させることができ、スキミングによる情報の盗用を防止することができる効果がある。
【図面の簡単な説明】
【００３０】
【図１】本発明の実施形態の携帯電話を上面側から観察した斜視図である。
【図２】図１の携帯電話を裏返して観察した斜視図であり、カード機能が発揮し得る状態を示す。
【図３】図１の携帯電話を裏返して観察した斜視図であり、カード機能が発揮し得えない状態を示す。
【図４】図１の携帯電話の分解斜視図である。
【図５】図１の携帯電話に装着されたスキミング防止装置の断面斜視図である。
【図６】本発明の他の実施形態の携帯電話を裏返して観察した斜視図であり、カード機能が発揮し得えない状態を示す。
【図７】図６の携帯電話の斜視図であり、カード機能が発揮し得る状態を示す。
【図８】本発明のさらに他の実施形態のスキミング防止装置を採用した携帯電話の要部を示す斜視図である。
【図９】本発明のさらに他の実施形態の携帯電話を裏返して観察した斜視図である。
【図１０】障壁部材の変形例を示すものであり、金属層と樹脂層が積層された障壁部材の断面図である。
【図１１】障壁部材の他の変形例を示すものであり、金属層と樹脂層が積層された障壁部材の断面図である。
【図１２】障壁部材のさらに他の変形例を示すものであり、金属層と樹脂層が積層された障壁部材の断面図である。
【図１３】障壁部材のさらに他の変形例を示すものであり、金属層と樹脂層が積層された障壁部材の断面図である。
【図１４】障壁部材のさらに他の変形例を示すものであり、金属層と樹脂層が積層された障壁部材の断面図である。
【図１５】障壁部材のさらに他の変形例を示すものであり、金属層と樹脂層が積層された障壁部材の断面図である。
【図１６】障壁部材のさらに他の変形例を示すものであり、金属層と樹脂層が積層された障壁部材の断面図である。
【発明を実施するための最良の形態】
【００３１】
以下さらに本発明の実施形態について説明する。
本実施形態の携帯電話（携帯端末装置）１は、通常の通話機能に加えて非接触型ＩＣカード機能（ＲＦＩＤ機能：Ｒａｄｉｏ  Ｆｒｅｑｕｅｎｃｙ  Ｉｄｅｎｔｉｆｉｃａｔｉｏｎ機能）を備えている。また携帯電話１には、裏面側にスキミング防止装置２が取り付けられている。【００３２】
携帯電話１は、本体が二つ折れの折り畳み構造である。即ち携帯電話１は、いずれも二つのケース部５，６を有し、両者はヒンジ７によって結合されている。
携帯電話１は、携帯時には図の様に二つのケース部５，６が折り畳まれているが、使用時にはケース部５，６を開く。そして公知のそれと同様にケース部５，６の内面に操作面が設けられている（図示せず）。【００３３】
また携帯電話１の裏面側には図２の様にスキミング防止装置２が取り付けられている。スキミング防止装置２は、図５の様に袋状部材１０と金属板（障壁部材）１１によって構成されている。袋状部材１０は、全体形状が略正方形であり、樹脂の薄板又は樹脂シートによって作られている。本実施形態においては、袋状部材１０は樹脂の薄板が採用されており、相当の剛性を持つ。袋状部材１０は、図５の様に表面部材１５と裏面部材１６を有している。表面部材１５と裏面部材１６は３方の辺同士が接合されており、中間部分は非接合状態である。そのため一方の辺が開口し、内部が袋状態となっている。
また表面部材１５には、長方形の開口１７が設けられている。【００３４】
金属板１１は、具体的にはアルミニウムの板である。金属板１１の一方の面には摘まみ１８が設けられている。
金属板１１の形状は、略正方形であり、前記した袋状部材１０の内部形状と略等しい。  金属板１１は、袋状部材１０の中に挿入されており、摘まみ１８は、袋状部材１０の表面部材１５に設けられた開口１７から露出している。
摘まみ１８を操作すると金属板１１はスライド移動する。即ち前記した様に金属板１１の形状が略正方形であり、且つ袋状部材１０の内部形状と略等しいから、金属板１１の動きは直線的に規制される。そのため摘まみ１８を操作すると金属板１１は直線的にスライド移動し、その一部が袋状部材１０の一辺側の開口２０から出没する。【００３５】
本実施形態の携帯電話１では、スキミング防止装置２は、電池装着部２２の蓋（蓋体）２３に図示しない接着剤によって貼り付けられている。
即ち携帯電話１は、公知のそれと同様に電池を収納する電池装着部２２を備え、携帯電話１の裏面側に電池装着部２２を覆う蓋（蓋体）２３が設けられている。そして本実施形態の携帯電話１では、前記した蓋（蓋体）２３にスキミング防止装置２の袋状部材１０の裏面部材１６が接着されている。【００３６】
また前記した様に、本実施形態の携帯電話１は、非接触型ＩＣカード機能を備えている。非接触型ＩＣカード機能を発揮するための主要な構成要素は、ＩＣチップ（カード機能発揮部）３０とアンテナ（ＲＦＩＤアンテナ）３１である。
本実施形態では、ＩＣチップ３０は、携帯電話１の筐体３５内にあり、その一部は図４の様に電池装着部２２に露出している。
またアンテナ３１は、携帯電話１の筐体３５に内蔵されており、筐体３５の裏面近傍にある。【００３７】
次に本実施形態の携帯電話１の使用方法について説明する。
本実施形態の携帯電話１を携行する際には、図３の様にスキミング防止装置２の金属板１１を袋状部材１０から露出させ、露出部分を筐体３５の本体側に突出し、金属板１１でアンテナ３１の外側を覆う。
より具体的には、摘まみ１８を操作して摘まみ１８を袋状部材１０の開口２０側に移動させる。その結果、金属板１１は筐体３５の表面に沿って直線的にスライド移動し、その一部が袋状部材１０の開口２０から露出する。そして露出部分がアンテナ３１に近接し、遂にはアンテナ３１を覆う。【００３８】
その結果、アンテナ３１から発せられる電磁波や磁力線が減衰し、カードリーダを近づけてもＩＣチップ３０に記録された情報を読み出すことができない。
そのため他者にスキミングされることはない。【００３９】
またカード機能を発揮させて預金の引き出し等を行う場合は、摘まみ１８を逆方向に操作して金属板１１を袋状部材１０の中に引き込む。その結果、金属板１１はアンテナ３１から離れ、アンテナ３１から電磁波等が送信可能となり、カードリーダと通信して預金の引き出しや借入を行うことができる。【００４０】
以上説明した実施形態では、スキミング防止装置２を電池装着部２２の蓋（蓋体）２３に取り付けた。この構成は、電池を取り替える際にスキミング防止装置２が邪魔にならず推奨される構成であるが、スキミング防止装置２を本体部分に取り付けることも可能である。【００４１】
また上記した実施形態では、携帯電話１を携行する際には、図３の様にスキミング防止装置２の金属板１１を袋状部材１０から露出させ、カード機能を発揮させて預金の引き出し等を行う場合に金属板１１を袋状部材１０の中に引き込めるが、これが逆であってもよい。【００４２】
即ち図６、７に示す携帯電話３６の様に、ＩＣチップ３０とアンテナ３１に相当する部位にスキミング防止装置２を設け、携帯電話３６を携行する際には、図６の様にスキミング防止装置２の金属板１１を袋状部材１０内に引き込めておく、一方、カード機能を発揮させて預金の引き出し等を行う場合に金属板１１を袋状部材１０から出す。
図６、７に示す携帯電話３６の構成部材は、図１等に示した携帯電話１と同一であるから、同一の部材に同一の番号を付して詳細な説明を省略する。【００４３】
以上説明した実施形態では、スキミング防止装置２を電池装着部２２の蓋（蓋体）２３に取り付けた。この構成は、電池を取り替える際にスキミング防止装置２が邪魔にならず推奨される構成であるが、スキミング防止装置２を本体部分に取り付けることも可能である。【００４４】
また上述した実施形態では、金属板１１を直線的に移動してアンテナ３１に近接、離反させたが、本発明はこの構成に限定されるものではなく、例えば図８に示す様に金属板４５を回転させてアンテナ３１に近接、離反させることもできる。
即ち図８は、本発明のさらに他の実施形態のスキミング防止装置を採用した携帯電話の要部を示す斜視図である。
図８に示す携帯電話（携帯端末装置）４３では、スキミング防止装置３８は、一部が切り欠かれた円板状の金属板（障壁部材）４５を備える。そして中央の摘まみ４６を操作することによって金属板４５を回転することができる。そして切り欠き部４７を図示しないアンテナ部と一致させることによって外部のカードリーダとの通信が可能となる。また板状の部位でアンテナ部を覆うことによってスキミングを防ぐことができる。【００４５】
また上述した実施形態では、金属板１１を移動してアンテナ３１を遮蔽したが、金属板１１を筐体３５のアンテナ３１に面した筐体面に取り付けてアンテナ３１を遮蔽し、カード機能を発揮させて預金の引き出し等を行う場合に金属板１１を取り外す構成としてもよい。
金属板１１の装着構造としては、筐体３５に金属板１１との係合部を設けたり、止め金を設ける構成が考えられる。そして係合部を金属板１１に係止させる等の方法によって金属板１１を筐体３５の所定の位置に取り付ける。
一方、預金の引き出し等を行う場合には、係合部の係合を解除して金属板１１を取り外す。【００４６】
またさらに簡便な構造としては、図９に示す携帯電話（携帯端末装置）５０の様に、筐体３５のアンテナ３１に面した筐体面に金属板１１を貼り付けてもよい。図９に示す実施形態では、金属板１１に図示しない糊層が設けられ、当該糊層を介して金属板１１を取り付けられている。
また糊層は、粘着性が低いものであり、金属板１１は手で容易に剥離することができる。
カード機能を発揮させて預金の引き出し等を行う場合には、金属板１１を剥離して離脱させ、筐体３５の表面を露出させる。
粘着層は、再度の使用に耐えるものであることが望ましいが、再使用に耐えないものであってもよい。
この場合は、遮蔽部材は、使い捨てとなるので、より安価な素材を採用することが望ましい。例えば金属板に代わって金属層を含む遮蔽フィルムを使用することが考えられる。【００４７】
以上説明した実施形態では、障壁部材として金属板を採用したが、金属板に代わって、金属膜が積層された樹脂板や樹脂シートを採用することもできる。
図１０〜１６は、障壁部材の変形例を示すものであり、金属層と樹脂層が積層された障壁部材の断面図である。該金属層はアルミニウム、銅、銀、鉄などの金属からなる。図１１〜１６に示す障壁部材には、さらにカーボン層が設けられている。【００４８】
また上記したスキミング防止装置を既存の携帯電話に取り付けてスキミングに備えることもできる。
【図１】
2006134807.tif 000002
【図２】
2006134807.tif 000003
【図３】
2006134807.tif 000004
【図４】
2006134807.tif 000005
【図５】
2006134807.tif 000006
【図６】
2006134807.tif 000007
【図７】
2006134807.tif 000008
【図８】
2006134807.tif 000009
【図９】
2006134807.tif 000010
【図１０】
2006134807.tif 000011
【図１１】
2006134807.tif 000012
【図１２】
2006134807.tif 000013
【図１３】
2006134807.tif 000014
【図１４】
2006134807.tif 000015
【図１５】
2006134807.tif 000016
【図１６】
2006134807.tif 000017
【国際調査報告】
2006134807.tif 000018
2006134807.tif 000019
2006134807.tif 000020
2006134807.tif 000021